(57)【要約】【課題】１人で点検作業を実施でき、且つ簡便、安価なシステムであり、異常の有無の判定が容易なインターホンシステムを提供することである。【解決手段】インターホンシステム１０は、配線２１により接続された少なくとも２つの端末装置１１（第１端末装置１１Ａ、第２端末装置１１Ｂ）を備え、各端末装置１１は、インターホンの点検を実行するための点検開始信号を発報する点検操作部１７、テスト音を予め登録したテスト音メモリ１９、点検開始信号を受信して、通話状態を強制的に確保する通話状態確保手段１８、及びテスト音メモリ１９からテスト音を読み出して端末スピーカ１５から出力するテスト音出力手段２０をそれぞれ有する。端末スピーカ１５（１５Ｂ）から出力されたテスト音は、端末マイク１４（１４Ｂ）によって拾得され、他方の端末スピーカ１５（１５Ａ）から出力される。【選択図】図２
2010028686.tif 000002
【特許請求の範囲】
【請求項１】
少なくともスピーカを有する第１端末装置及びスピーカ及びマイクを有する第２端末装置を備えるインターホンシステムであって、
少なくとも第１端末装置は、インターホンシステムの点検を開始するための点検開始信号を第２端末装置に発報する点検操作部を備え、
少なくとも第２端末装置は、
テスト音を予め登録したテスト音メモリを含み、
第１端末装置の点検操作部を操作することによって発報された点検開始信号を受信した場合に、テスト音メモリからテスト音を読み出して第２端末装置のスピーカから出力するテスト音出力手段を備え、
第２端末装置のスピーカから出力されたテスト音は第２端末装置のマイクにより拾得されて、第１端末装置のスピーカから出力されることを特徴とするインターホンシステム。
【請求項２】
請求項１に記載のインターホンシステムにおいて、
少なくとも第２端末装置は、
第１端末装置の点検操作部を操作することによって発報された点検開始信号を受信して、第１及び第２端末装置との通話状態を強制的に確保する通話状態確保手段を備えることを特徴とするインターホンシステム。
【請求項３】
請求項２に記載のインターホンシステムにおいて、
第１端末装置は、スピーカ及びマイクを有し、
第１及び第２端末装置は、点検操作部、通話状態確保手段、テスト音メモリ、及びテスト音出力手段をそれぞれ備えることを特徴とするインターホンシステム。
【請求項４】
請求項１〜３いずれか１に記載のインターホンシステムにおいて、
一方の端末装置がエレベータかご内に設置されることを特徴とするエレベータ用のインターホンシステム。
【発明の詳細な説明】
【技術分野】
【０００１】
本発明は、インターホンシステムに係り、特にインターホンシステムの点検機能を付設したインターホンシステムに関する。
【背景技術】
【０００２】
インターホンシステムは、同一施設内で使用される通話装置であって、少なくとも２つの端末装置を備える。この端末装置には、スピーカ及びマイク、スピーカ又はマイク（一方にマイク、他方にスピーカ）を有するものがあり、前者の端末装置を備えるインターホンシステムによれば双方向通話が可能で、後者の端末装置を備えるインターホンシステムによれば一方向通話が可能になる。インターホンシステムとしては、例えば、一方の端末装置がエレベータかご内に設置され、他方の端末装置がエレベータの管理を行う同一施設内の管理室等に設置されたエレベータ用のインターホンシステムが挙げられる。なお、一般的に、エレベータ用のインターホンシステムの各端末装置は、スピーカ及びマイクをそれぞれ有する双方向通話可能なインターホンシステムである。
【０００３】
このようなインターホンシステムの点検作業では、それぞれの端末装置について通話が問題なく行えることを確認する必要があり、エレベータかご内及び管理室にそれぞれ１人ずつ、合計２人の点検作業者が必要になる。このように２人を必要とする点検作業は効率的ではなく、１人で点検作業を実施できる手法が望まれていた。このような状況に鑑みて、１人で点検作業を実施できる点検装置が幾つか考案されている。
【０００４】
例えば、特許文献１では、かご内インターホンは、記遠隔操作手段から送信された点検信号を記録し、再生する記録・再生手段と、遠隔操作手段から点検信号が送信された時に記録・再生手段に点検信号を記録させ、遠隔操作手段を呼び出した時に記録・再生手段に記録した点検信号を再生させ、再生した点検信号を遠隔操作部へ送信するインターホン制御手段と、を有するエレベータのインターホンシステムが開示されている。また、特許文献１では、点検者が遠隔操作部マイクを用いて点検音を発し、この点検音はインターホンスピーカからエレベータかご内に出力され、インターホンマイクはインターホンスピーカから出力された点検音を収音し、録音・再生部はこの点検音を録音すること、さらに、インターホンシステムの点検を遠隔操作部によって自動的に実行できること、が述べられている。
【０００５】
また、特許文献２では、エレベータ故障時に外部の監視センターへ電話回線で自動通報する機能と、通報時にかご内インターホンを利用してかご内から監視センターと直接通話する機能とを有するエレベータ通信制御装置において、エレベータ通信制御装置は、任意の音声データをデジタルデータとして記憶する音声データ部と、前記音声データに記憶されているデジタルデータをアナログ音声に変換する音声データ変換部と、かご内インターホンスピーカから音声を流してインターホンマイクから入力される音声の音圧が閾値を超えていることを検出する音圧検出部と、を備えたエレベータ通話装置の自動点検装置が開示されている。
【０００６】
【特許文献１】特開平７−１２３１６２号公報
【特許文献２】特開２００７−１１９１０６号公報
【発明の開示】
【発明が解決しようとする課題】
【０００７】
しかしながら、特許文献１のインターホンシステムでは、点検者が発声した肉声を録音（記憶）して点検音として使用するため、点検者の声の大きさや音質によっては再生された点検音が聴こえ難い場合がある。そのような場合には、点検音の大きさや音質、或いは記憶再生装置の不具合による影響か、それともインターホンシステムの不具合による影響か、を識別してインターホンシステムの異常を判断することが困難になる。なお、特許文献１のインターホンシステムには、点検者の発声した肉声を記憶する記憶装置を搭載する必要があり、実装コストが高価になる。
【０００８】
また、インターホンシステムの点検を遠隔操作部によって自動的に実行する構成によれば、点検信号が正常に伝わったか否かを判定する機能（判定装置）が必要となり、実装コストがさらに増加する。加えて、点検信号の判定装置が故障した場合には、正常な点検を行うことができず、上記と同様に、判定装置の不具合による影響か、それともインターホンシステムの不具合による影響か、を判断することが困難になる。
【０００９】
特許文献２の自動点検装置についても、判定装置である音圧検出部を備える必要があり、特許文献１のインターホンシステムと同様に、実装コストが高価であって、また、インターホンシステム自体の異常を判断することが困難な場合がある。なお、インターホンシステムは、通話装置であるから、その点検は作業者の聴覚によって行うのが適切であり、また、作業者の聴覚による判定では、特別な判定装置等を必要としないため、システムコストを削減でき、且つインターホンシステムの異常判定を困難にする要因を低減することができる。
【００１０】
本発明の目的は、１人で点検作業を実施でき、且つ簡便、安価なシステムであり、異常の有無の判定が容易なインターホンシステムを提供することである。
【課題を解決するための手段】
【００１１】
本発明に係るインターホンシステムは、少なくともスピーカを有する第１端末装置及びスピーカ及びマイクを有する第２端末装置を備えるインターホンシステムであって、
少なくとも第１端末装置は、インターホンシステムの点検を開始するための点検開始信号を第２端末装置に発報する点検操作部を備え、少なくとも第２端末装置は、テスト音を予め登録したテスト音メモリを含み、第１端末装置の点検操作部を操作することによって発報された点検開始信号を受信した場合に、テスト音メモリからテスト音を読み出して第２端末装置のスピーカから出力するテスト音出力手段を備え、第２端末装置のスピーカから出力されたテスト音は第２端末装置のマイクにより拾得されて、第１端末装置のスピーカから出力されることを特徴とする。
【００１２】
また、少なくとも第２端末装置は、第１端末装置の点検操作部を操作することによって発報された点検開始信号を受信して、第１及び第２端末装置との通話状態を強制的に確保する通話状態確保手段を備えることが好ましい。
【００１３】
また、第１端末装置は、スピーカ及びマイクを有し、第１及び第２端末装置は、点検操作部、通話状態確保手段、テスト音メモリ、及びテスト音出力手段をそれぞれ備えることが好ましい。
【００１４】
また、一方の端末装置がエレベータかご内に設置されるエレベータ用のインターホンシステムであることが好ましい。
【発明の効果】
【００１５】
本発明に係るインターホンシステムによれば、少なくとも第１端末装置は、インターホンシステムの点検を開始するための点検開始信号を第２端末装置に発報する点検操作部を備え、少なくとも第２端末装置は、テスト音を予め登録したテスト音メモリを含み、第１端末装置の点検操作部を操作することによって発報された点検開始信号を受信した場合に、テスト音メモリからテスト音を読み出して第２端末装置のスピーカから出力するテスト音出力手段を備え、第２端末装置のスピーカから出力されたテスト音は第２端末装置のマイクにより拾得されて、第１端末装置のスピーカから出力されるので、１人でインターホンシステムの点検作業を実施することができ、点検作業の効率が飛躍的に向上する。また、作業者の聴覚によって点検を行う簡便且つシンプルなシステムであるため、インターホンシステムの異常判定を困難にするおそれがある判定装置等を必要とせず、異常の有無の判定が容易であって、且つインターホンシステムのコスト（点検機能の実装コスト）を大幅に削減することができる。
【００１６】
さらに、少なくとも第２端末装置が、第１端末装置の点検操作部を操作することによって発報された点検開始信号を受信して、第１及び第２端末装置との通話状態を強制的に確保する通話状態確保手段を備える構成とすれば、例えば、呼び出されたときに通話ボタンを押す又は受話器を上げる等の操作を行って初めて通話状態となる端末装置を備えたインターホンシステムについても、１人で点検作業を実施することが可能になる。
【００１７】
また、第１端末装置は、スピーカ及びマイクを有し、第１及び第２端末装置が、点検操作部、通話状態確保手段、テスト音メモリ、及びテスト音出力手段をそれぞれ備える構成とすれば、双方向通話可能なインターホンシステムにおいても、各端末装置のマイク及びスピーカを含むインターホンシステム全体の点検が、簡便且つ迅速に、１人で実施することが可能になる。
【発明を実施するための最良の形態】
【００１８】
図面を用いて本発明に係る実施の形態につき以下詳細に説明する。図１は、エレベータ用のインターホンシステムの全体構成を示す模式図である。図２は、双方向の呼び出し、通話、及び点検が可能なインターホンシステムの構成を示すブロック図である。
【００１９】
図１に示すインターホンシステム１０は、２つの端末装置１１を、エレベータかご１２及び管理室１３にそれぞれ備えるエレベータ用のインターホンシステム１０である。図１に示す２つの端末装置１１は、配線２１により接続されており、後述するように、双方向の呼び出し及び通話が可能である。インターホンシステム１０は、通話機能に加えて、簡便且つ安価な点検機能を備えたことを特徴とし、エレベータ用のインターホンシステムとして好適であるが、用途はエレベータに限定されるものではない。
【００２０】
以下では、図２に示す構成のインターホンシステム１０を中心に説明するが、実用形態（端末装置の形態や各構成要素の設置箇所等）については、エレベータに適用されたインターホンシステム１０（エレベータ用のインターホンシステム）を例に挙げて説明する（以下、エレベータかご１２に設置される端末装置１１を第１端末装置１１Ａ、管理室１３に設置される端末装置１１を第２端末装置１１Ｂとする）。
【００２１】
図２に示すように、インターホンシステム１０において、通話機能を発揮する構成要素群５０は、端末マイク１４、端末スピーカ１５、相手方の端末装置１１を呼び出す呼び出しボタン１６、及び呼び出しがあった時に相手方の端末装置１１と通話状態にする通話ボタン２４である。これらの構成要素としては、特に限定されるものではなく、公知のマイクやスピーカ等を使用することができ、従って、点検機能を備えない既設のインターホンシステムに点検機能のみ、即ち点検機能を発揮する構成要素群５１を付設することもできる。点検機能を発揮する構成要素群５１としては、点検操作部１７、通話状態確保手段１８、テスト音メモリ１９、及びテスト音出力手段２０である（詳細は後述する）。なお、インターホンシステム１０の点検とは、通話機能の点検であるから、通話機能を発揮する構成要素群５０（端末マイク１４及び端末スピーカ１５）は、点検操作においても当然に使用される。
【００２２】
具体的な端末装置１１の形態としては、エレベータ用のインターホンシステム１０の場合、図１に示すような形態（第１端末装置１１Ａ、第２端末装置１１Ｂ）が挙げられる。エレベータかご１２内に設置された第１端末装置１１Ａは、エレベータかごの運転操作を行うためのかご内操作盤２２にその一部として組み込まれている。かご内操作盤２２において第１端末装置１１Ａを構成する部材は、端末マイク１４Ａ（以下、第１及び第２端末装置において、同一の機能を有する構成部材は、第１端末装置に関連するものにＡを付し、第２端末装置に関連するものにＢを付する）、端末スピーカ１５Ａ、呼び出しボタン１６Ａ、及び点検操作部１７Ａである。また、図１では示していないが、かご内操作盤２２内に、少なくともテスト音メモリ１９Ａ、及びテスト音出力手段２０Ａの点検機能を発揮する構成要素群５１が設置されることが好ましい。
【００２３】
管理室１３に設置された第２端末装置１１Ｂは、第１端末装置１１Ａと配線２１により接続されると共に、図示しないその他のエレベータやその他の施設設備と接続された端末装置１１である。ここで、管理室１３とは、エレベータが設置された施設と同一施設内にあり、エレベータを含む施設設備の管理を行う場所（部屋）である。ここで、第２端末装置１１Ｂは、コードレスタイプの端末装置１１を示しているが、有線配線２１が直接接続されたコード付き端末装置１１であってもよい。なお、配線２１は図示しない親機又は中継器に接続され、親機等から第２端末装置１１Ｂまでは無線接続されている（配線２１を備えない完全無線接続とすることもできる）。
【００２４】
管理室１３に設置された第２端末装置１１Ｂは、第１端末装置１１Ａと同様に、端末マイク１４Ｂ、端末スピーカ１５Ｂ、呼び出しボタン１６Ｂ、及び点検操作部１７Ｂを有し、さらに、第１端末装置１１Ａ等からの呼び出しがあった時に、第１端末装置１１Ａ等と通話状態にするための通話ボタン２４を有する。また、図１では示していないが、第２端末装置１１Ｂには、通話状態確保手段１８Ｂ、テスト音メモリ１９Ｂ，及びテスト音出力手段２０Ｂの点検機能を発揮する構成要素群５１が設けられることが好ましい。なお、第２端末装置１１Ｂは、複数の施設設備と繋がった端末装置１１であるから、図１に示すように、呼び出しボタン１６Ｂが複数存在する。
【００２５】
インターホンシステム１０は、上記のように、簡便且つ安価な点検機能を備えた点を特徴とする。図２（及び図１）に示すインターホンシステム１０は、各端末装置１１に呼び出しボタン１６を備えるので双方向の呼び出しが可能であり、また、各端末装置１１に端末マイク１４及び端末スピーカ１５を備えるので双方向の通話も可能である。さらに、各端末装置１１に、点検機能を発揮する構成要素群５１を備えるので、１人の点検作業者による双方向の点検も可能である。
【００２６】
なお、通話状態確保手段１８やテスト音出力手段２０を一方の端末装置１１のみに備えるインターホンシステム１０とすることもできるが、その場合には、一方向のみの点検が実施できる。例えば、一方の端末装置１１が設置される場所には、管理人等が常に待機しており他方の端末装置１１から点検を実施する際には管理人等の協力を得ることができる等の事情がある場合には、一方の端末装置１１に通話状態確保手段１８やテスト音出力手段２０を設置せず実装コストを削減することができる。
【００２７】
点検機能を発揮する構成要素群５１の１つである点検操作部１７は、インターホンシステム１１の点検作業を開始するための点検開始信号を相手方の端末装置１１に発報する機能を有する。即ち、図１及び図２に示すように、第１端末装置１１Ａ及び第２端末装置１１Ｂのいずれにも点検操作部１７が設けられる場合には、どちらの端末装置１１からでも点検作業を開始することができる。なお、後述するように、第１端末装置１１Ａの点検操作部１７ＡをＯＮ操作した場合には、第１端末装置１１Ａの端末マイク１４Ａの点検はできないので、最終的に、点検作業者は各端末装置１１の点検操作部１７をＯＮ操作してシステム全体の点検を実行する必要がある。
【００２８】
図１に示す第２端末装置１１Ｂについては、複数の端末装置１１に接続されているので、例えば、点検操作部１７ＢをＯＮ操作した後に、第１端末装置１１の呼び出しボタン１６を押すことにより、エレベータ用のインターホンシステム１０について点検作業を開始することができる。また、第１端末装置１１Ａの点検操作部１７Ａは、いたずら防止等の観点から、かご内操作盤２２に設けられるスライドカバー付きボックス２３内に設置されることが好ましい。なお、スライドカバー付きボックス２３内には、点検操作部１７Ａの他に、ファンや照明等のスイッチが設置され、スライドカバーには鍵がかかるようになっている。
【００２９】
第１端末装置１１Ａの点検操作部１７ＡのＯＮ操作によって発報される点検開始信号は、配線２１を通じて第２端末装置１１Ｂに伝達されると、第２端末装置１１Ｂの通話状態確保手段１８Ｂが信号を受信する。通話状態確保手段１８Ｂによって点検開始信号が受信されると、第２端末装置１１Ｂの通話状態確保手段１８Ｂ及びテスト音出力手段２０Ｂの機能により、通話状態の確保及びテスト音の出力が実行される。なお、図２に示す点線は、第１端末装置１１Ａの点検操作部１７ＡのＯＮ操作により開始される点検の動作経路を示している。
【００３０】
エレベータ用のインターホンシステム１０においては、かご内操作盤２２に設置される第１端末装置１１Ａには、一般的に、通話ボタン２４Ａがなく、第２端末装置１１Ａからの呼び出しにより自動的に双方向通話状態が確保される。従って、通話状態確保手段１８Ａは必要なく、例えば、テスト音出力手段２０Ａが点検開始信号を受信する機能を有することができる。
【００３１】
点検機能を発揮する構成要素群５１の１つである通話状態確保手段１８は、点検操作部１７を操作することによって発報された点検開始信号を受信して、点検操作部１７が操作された端末装置１１と点検開始信号が送信された端末装置１１との通話状態を強制的に確保する機能を有する。図２の点線で示すように、第１端末装置１１Ａの点検操作部１７Ａを操作することによって発報された点検開始信号は、配線２１を通って第２端末装置１１Ｂに送信され、第２端末装置１１Ｂの通話状態確保手段１８Ｂをよって受信される。そして、点検開始信号の受信により通話状態確保手段１８Ｂが、第１端末装置１１Ａ及び第２端末装置１１Ｂとの通話状態を強制的に確保する。具体的には、通話状態確保手段１８Ｂは、呼び出されたときに通話ボタン２４を押すことにより通話状態となる、或いは受話器を挙げることにより通話状態となる端末装置１１の場合には、通話状態確保手段１８の機能により、点検作業者が直接通話ボタン２４を操作等することなく通話ボタン２４が押された状態等にすることができる。より具体的には、通話ボタン２４が押されることによりＯＮ状態となるスイッチ等が、点検開始信号を受信した通話状態確保手段１８によってＯＮ状態にされる。
【００３２】
点検機能を発揮する構成要素群５１の１つであるテスト音出力手段２０は、テスト音を予め登録したテスト音メモリ１９からテスト音を読み出して端末スピーカ１５から出力する機能を有する。図２の点線で示すように、第１端末装置１１Ａの点検操作部１７ＡがＯＮ操作された場合には、通話状態が確保された後、テスト音出力手段２０Ｂは、テスト音メモリ１９Ｂから予め登録されたテスト音が読み出して、端末スピーカ１５Ｂから出力する。また、テスト音出力手段２０は、特に、通話状態確保手段１８が設けられない場合には、点検開始信号を受信する機能を備えることが好ましい。なお、テスト音出力手段２０としては、テスト音の読み出し再生機能を有していればよく、テスト音等を新たに録音して記憶装置に記憶させる機能を備える必要は無いので、後述するように、安価なマイコン（ＣＰＵ）等によって構成することが可能である。
【００３３】
テスト音出力手段２０Ｂの機能によって、端末スピーカ１５Ｂテスト音が出力されるタイミングとしては、点検開始信号が受信された後であれば、任意に設定することが可能であり、例えば、点検操作部１７ＡがＯＮ操作された後、所定時間（１０秒後など）経過後とすることができる。テスト音が出力されるタイミングを決定する観点からも、テスト音出力手段２０は、点検開始信号を受信する機能を備えることが好ましい。或いは、テスト音が出力されるタイミングを規定するために、通話状態確保手段１８に、通話状態が確保された時に、テスト音出力手段２０に対してテスト音を出力させる指令信号を送信する機能を備えることもできる。
【００３４】
テスト音出力手段２０の機能によって端末スピーカ１５から出力される予め登録されたテスト音とは、点検作業を実行する前からインターホンシステム１０に予め登録されていたテスト音であって、音量、さらには周波数等の音質が判っているテスト音を意味する。ここで、テスト音とは、インターホンシステム１０の点検に使用される音であり、例えば「音声が聞こえますか」」等の合成音声や「ピッ、ポッ、パッ」等の信号音を含む。インターホンシステム１０の点検においては、点検作業時に記憶され音量や音質が明確ではない音声は含まれず、音量、音質が明確である予め登録されたテスト音を使用することにより、迅速な点検作業が可能になると共に、音量や音質が判っているので、異常の有無を判定することが容易になり、点検の精度を向上させることができる。
【００３５】
点検機能を発揮する構成要素群５１の１つであるテスト音メモリ１９は、テスト音を予め登録したメモリ（記憶装置）であって、不揮発性メモリが使用されることが好ましい。なお、テスト音メモリ１９は、新たなデータを記憶する必要はなく、インターホンシステム１０は録音機能を有さない。従って、テスト音メモリ１９としては、予め登録されたテスト音を保存できる容量があれば十分であり、安価なメモリを使用することができる。
【００３６】
図２の点線で示すように、端末スピーカ１５Ｂから出力から出力されたテスト音は、端末マイク１４Ｂにより拾得されて、第１端末装置１１Ａの端末スピーカ１５Ａから出力される。後述するように、端末スピーカ１５Ａから出力されたテスト音を点検作業者が聴くことにより、インターホンシステム１０、正確には第２端末装置１１Ｂの端末マイク１４Ｂ及び端末スピーカ１５Ｂ、第１端末装置１１Ａの端末スピーカ１５Ａが正常であるか否かを判定する。
【００３７】
点検操作部１７、通話状態確保手段１８、及びテスト音出力手段２０は、ＣＰＵや各構成要素の制御プログラム、及び制御プログラムをインプットした記憶装置等を有する１つ又は複数のマイコンなどによって構成することができ、該マイコンは端末装置１１（かご内制御盤２２）に搭載される。端末装置１１に搭載される既設のマイコン等の一部として構成することもでき、各手段の機能は、ソフトウェアを実行することで実現することもできる。
【００３８】
上記構成のインターホンシステム１０の作用、特にインターホンシステム１０の点検手順について、図３を加えて以下詳細に説明する。図３は、図２に示すインターホンシステム１０における点検手順を示すフローチャートであり、第１端末装置１１Ａ側に作業者がいて点検作業を実行する場合について説明する。なお、図１に示すエレベータ用のインターホンシステム１０についても適宜説明する。
【００３９】
まず、点検作業者は、第１端末装置１１Ａの点検操作部１７ＡをＯＮ操作する（Ｓ１０）。点検操作部１７ＡをＯＮ操作することにより、点検開始信号が発報され、インターホンシステム１０の点検が開始されることになる。なお、エレベータ用のインターホンシステム１０では、かご内操作盤２２のスライドカバー付きボックス２３のカバーを開けて、その中に設置された点検操作部１７ＡをＯＮ操作することになる。また、点検の終了については、例えば、テスト音が流れた後（直後に、又は所定時間経過後に）自動的に終了する、或いは点検操作部１７Ａを再度押す等してＯＦＦ操作することによって終了することができ、点検モードの解除忘れを防止する等の観点から、点検終了手段としては前者の手段を適用することが好ましい。
【００４０】
点検開始信号は、配線２１を通って第２端末装置１１Ｂに伝達され、通話状態確保手段１８Ｂがその信号を受信すると共に、第１端末装置１１Ａと第２端末装置１１Ｂとの通話状態が確保される（Ｓ１１）。この手順は、通話状態確保手段１８Ｂの機能によって実行され、通話状態確保手段１８Ｂは点検開始信号をトリガーとして、通話状態を確保するための制御を実行する。なお、エレベータ用のインターホンシステム１０では、通話状態確保手段１８Ｂの機能により、第２端末装置１１Ｂの通話ボタン２４が押された状態となる。通話状態が確保されている状態とは、各端末装置１１の端末マイク１４及び端末スピーカ１５は機能する状態であり、端末マイク１４は周辺の音を拾得し、端末スピーカ１５は相手方の端末装置１１の端末マイク１４によって拾得された音を出力することができる。
【００４１】
次に、第２端末装置１１Ｂのテスト音メモリ１９Ｂから、予め登録されたテスト音が読み出され、端末スピーカ１５Ｂから出力される（Ｓ１２）。この手順は、第２端末装置１１Ｂに設置されたテスト音出力手段２０Ｂの機能によって実行される。テスト音出力手段２０Ｂによって端末スピーカ１５Ｂからテスト音が出力されるタイミングは、例えば、「点検操作部１７ＡがＯＮ操作された後５秒後」のように任意に設定することができる。
【００４２】
Ｓ１２で端末スピーカ１５Ｂから出力されたテスト音は、端末マイク１４Ｂにより拾得される（Ｓ１３）。上記のように、通話状態確保手段１８Ｂにより通話状態が確保されているので、端末マイク１４Ｂは、通常の通話状態と同様に機能して、テスト音を拾得することができる。
【００４３】
端末マイク１４Ｂによって拾得されたテスト音は、第１端末装置１１Ａの端末スピーカ１５Ａから出力される（Ｓ１４）。端末スピーカ１５Ａについても、端末マイク１４Ｂと同様に、通常の通話状態と同様に機能して、端末マイク１４Ｂにより拾得されたテスト音を出力することができる。
【００４４】
点検作業者は、端末スピーカ１５Ａから出力されたテスト音を聴いて、インターホンシステム１０（第２端末装置１１Ｂの端末マイク１４Ｂ及び端末スピーカ１５Ｂ、第１端末装置１１Ａの端末スピーカ１５Ａ）に異常がないかを判定する（Ｓ１５）。所定の判断基準に基づいたテスト音が確認できた場合には、第２端末装置１１Ｂ等は、「異常なし」と判定し（Ｓ１６）、所定の判断基準に基づいたテスト音が確認できなかった場合には、「異常あり」と判定する（Ｓ１７）。インターホンシステム１０の点検によれば、予め登録されたテスト音を使用するので、明確な判断基準を作成することが可能であり、点検精度を向上させることができる。なお、判断基準は任意に決定することができる。
【００４５】
以上Ｓ１０〜Ｓ１７の手順により、第２端末装置１１Ｂの端末マイク１４Ｂ及び端末スピーカ１５Ｂ、第１端末装置１１Ａの端末スピーカ１５Ａの点検を実施することができる。なお、点検作業者が実際に行う作業は、点検操作部１７ＡのＯＮ操作及びテスト音の判定だけであり、極めて簡便に点検を実施することができる。
【００４６】
点検作業者は、Ｓ１０〜Ｓ１７と同様の操作を第２端末装置１１Ｂ側からも実施することにより、第１端末装置１１Ａの端末マイク１４Ａの機能を含むインターホンシステム１０全体の点検を実施することができる。
【００４７】
以上のように、インターホンシステム１０によれば、少なくとも第１端末装置１１Ａは、インターホンシステム１０の点検を実行するための点検開始信号を第２端末装置１１Ｂに発報する点検操作部１７Ａを備え、少なくとも第２端末装置１１Ｂは、第１端末装置１１Ａの点検操作部１７Ａを操作することによって発報された点検開始信号を受信して、第１及び第２端末装置１１との通話状態を強制的に確保する通話状態確保手段１８Ｂと、テスト音メモリ１９Ｂから予め登録されたテスト音を読み出して端末スピーカ１５Ｂから出力するテスト音出力手段２０Ｂと、を備え、端末スピーカ１５Ｂから出力されたテスト音は端末マイク１４Ｂにより拾得されて、第１端末装置１１Ａの端末スピーカ１５Ａから出力されるので、１人でインターホンシステムの点検作業を実施することができる。また、判定装置や書き込み型の記憶装置を必要とせず、簡便且つシンプルなシステムであるため、点検機能の実装コストを大幅に低減することができる。また、点検作業者の聴覚による判定によれば、インターホンシステム１０の異常判定を困難にする要因を低減することができる。
【図面の簡単な説明】
【００４８】
【図１】エレベータ用のインターホンシステムの全体構成を示す模式図である。
【図２】双方向の呼び出し、通話、及び点検が可能なインターホンシステムの構成を示すブロック図である。
【図３】図２に示すインターホンシステムにおける点検手順を示すフローチャートである。
【符号の説明】
【００４９】
１０  インターホンシステム、１１  端末装置、１２  エレベータかご、１３  管理室、１４  端末マイク、１５  端末スピーカ、１６  呼び出しボタン、１７  点検操作部、１８  通話状態確保手段、１９  テスト音メモリ、２０  テスト音出力手段、２１  配線、２２  かご内操作盤、２３  スライドカバー付きボックス、２４  通話ボタン、２５  充電器、５０  通話機能を発揮する構成要素群、５１  点検機能を発揮する構成要素群。
【図１】
2010028686.tif 000003
【図２】
2010028686.tif 000004
【図３】
2010028686.tif 000005